(57)【特許請求の範囲】
【請求項１】
ＰＬＬ周波数シンセサイザ手段から入力する局部発振信号に基づき、所定の周波数の電波を受信する受信手段と、待ち受け中、受信手段の稼働を制御し、休止と稼働を交互に繰り返させ、受信手段の稼働中に受信手段で自機宛の電波が受信されれば、連続的に稼働させる制御手段とを備え、該制御手段は、受信手段の休止中はＰＬＬ周波数シンセサイザ手段をスタンバイモードとし、周波数設定データの保持をさせて局部発振信号の発生は停止させ、受信手段の稼働中はＰＬＬ周波数シンセサイザ手段をノーマルモードとし、ＰＬＬ動作により周波数設定データに応じた周波数の局部発振信号を発生させて出力させるようにしたＰＬＬ周波数シンセサイザ式無線装置の給電方法において、
所定のバッテリからバイポーラトランジスタ型の第１電源手段により第１の所定の直流安定化電源電圧を作成するとともに、
所定のバッテリからＣ−ＭＯＳトランジスタ型の第２電源手段により第２の所定の直流安定化電源電圧を作成するようにし、
受信手段を稼働させている間、第１電源手段で作成した第１の所定の直流安定化電源電圧をＰＬＬ周波数シンセサイザに供給し、受信手段を休止させている間、第２電源手段で作成した第２の所定の直流安定化電源電圧をＰＬＬ周波数シンセサイザに供給するようにしたこと、
を特徴とするＰＬＬ周波数シンセサイザ式無線装置の給電方法。
【請求項２】
ＰＬＬ周波数シンセサイザ手段から入力する局部発振信号に基づき、所定の周波数の電波を受信する受信手段と、待ち受け中、受信手段の稼働を制御し、休止と稼働を交互に繰り返させる制御手段とを備え、該制御手段は、受信手段の休止中はＰＬＬ周波数シンセサイザ手段をスタンバイモードとし、周波数設定データの保持をさせて局部発振信号の発生は停止させ、受信手段の稼働中はＰＬＬ周波数シンセサイザ手段をノーマルモードとし、ＰＬＬ動作により周波数設定データに応じた周波数の局部発振信号を発生させて出力させるようにしたＰＬＬ周波数シンセサイザ式無線装置において、
所定のバッテリから第１の所定の直流安定化電源電圧を作成するバイポーラトランジスタ型の第１電源手段と、
所定のバッテリから第２の所定の直流安定化電源電圧を作成するＣ−ＭＯＳトランジスタ型の第２電源手段と、
を備え、
制御手段は、受信手段を稼働させている間、第１電源手段で作成した第１の所定の直流安定化電源電圧をＰＬＬ周波数シンセサイザに供給し、受信手段を休止させている間、第２電源手段で作成した第２の所定の直流安定化電源電圧をＰＬＬ周波数シンセサイザに供給するようにしたこと、
を特徴とするＰＬＬ周波数シンセサイザ式無線装置。
【発明の詳細な説明】
【０００１】
【発明の属する技術分野】
本発明はＰＬＬ周波数シンセサイザ式無線装置の給電方法、ＰＬＬ周波数シンセサイザ式無線装置に係り、とくに、受信系を間歇的に稼働して待ち受け受信を行うＰＬＬ周波数シンセサイザ式無線装置の給電方法、ＰＬＬ周波数シンセサイザ式無線装置に関する。
【０００２】
【従来の技術】
携帯電話、ＰＨＳ等の移動通信端末では、待ち受け受信を行う際、受信系の各種回路を連続的に稼働させるとバッテリの消耗が激しい。そこで、受信系の各種回路を間歇的に稼働させ、稼働中に自機宛の電波が受信されたかチェックすることで、バッテリの消耗を抑えるようにしている。
図４は携帯電話の受信系、制御系、給電系の構成を示すブロック図である。１はアンテナ、２はアンテナでキャッチされた電波の中から所望周波数の受信信号を取り出し、所定の第２中間周波信号に変換して出力する受信部であり、受信信号の増幅を行う低雑音アンプ、後述するＰＬＬ周波数シンセサイザ部から入力した第１局部発振信号Ｌ１を用いて所望周波数の受信信号を取り出し所定の第１中間周波数の第１中間周波信号に変換して出力する第１混合器、第１混合器から出力された第１中間周波信号の増幅を行う第１中間周波増幅器、増幅後の第１中間周波信号に対しＰＬＬ周波数シンセサイザ部から入力した第２局部発振信号Ｌ２を用いて所定の第２中間周波数の第２中間周波信号に変換して出力する第２混合器を含む。３はＰＬＬ周波数シンセサイザ部であり、後述するコントロール部により設定される周波数設定データに応じた周波数の第１局部発振信号Ｌ１と、該第１局部発振信号Ｌ１の周波数より所定の一定周波数だけ高い第２局部発振信号Ｌ２を発生して出力する。
【０００３】
４は復調部であり、受信部２から出力される第２中間周波信号に対しディジタル復調を行い、ディジタルデータ列を出力する。５は信号処理部であり、復調ディジタルデータ列を入力し、ディジタル音声信号と制御データを抽出して出力する。６はディジタル音声信号をＤ／Ａ変換するＤ／Ａ変換部、７はＤ／Ａ変換部から出力されたアナログ音声信号を電力増幅する増幅部、８は増幅部７の出力によって駆動される受話スピーカ、９はコントロール部の駆動で呼び出し音を発生するリンガである。
【０００４】
１０はオフフック操作、オンフック操作等を行う操作部、１１は所定の直流電圧を出力するバッテリ、１２はバッテリ１１からの直流電圧を入力し、所定の電圧値の直流安定化電圧ＶＣＣを作成するＣ−ＭＯＳトランジスタ型の電源部、１３はコントロール部の制御に応じて開閉する電源開閉部であり、電源部１２の作成したＶＣＣを受信部２、復調部４、信号処理部５、Ｄ／Ａ変換部６、増幅部７、リンガ９に給電したり、給電を停止したりする。１４はバッテリ１１からの直流電圧を入力し、所定の電圧値の直流安定化電圧ＶＣＣ´を作成するバイポーラトランジスタ型の電源部であり、コントロール部の制御に応じて稼働したり、稼働を停止したりする。バイポーラトランジスタ型の電源部１４は内部消費電流が多いもののノイズ抑圧特性が優れている。ＰＬＬ周波数シンセサイザ部３のＰＬＬ動作は電源ノイズの影響を受けやすいので、電源部１４からＶＣＣ´の給電を行うようになっている。すなわち、ＰＬＬ周波数シンセサイザ部３の−電源端子（−ＶＩＮ）はアースと接続されており、＋電源端子（＋ＶＩＮ）は電源部１４の出力側と接続されている。
【０００５】
１５は全体的な制御を行うマイコン構成のコントロール部であり、このコントロール部１５と操作部１０は電源部１２から常時、ＶＣＣの給電を受ける。コントロール部１５は待ち受け受信時、受信部２、復調部４、信号処理部５、Ｄ／Ａ変換部６、増幅部７とから成る受信系とＰＬＬ周波数シンセサイザ部３を間歇的に稼働させる。ここで受信系及びＰＬＬ周波数シンセサイザ部３の休止は、電源開閉部１３を開制御してＶＣＣの出力を停止させること、及び電源部１４を制御し該電源部１４の稼働を停止させＶＣＣ´の出力を停止させることで行う。反対に受信系及びＰＬＬ周波数シンセサイザ部３の稼働は、電源開閉部１３を閉制御してＶＣＣを出力させること、及び電源部１４を制御し該電源部１４を稼働させてＶＣＣ´を出力させるとともに待ち受けチャンネル用の周波数設定データをＰＬＬ周波数シンセサイザ部３に設定することで行う。ＰＬＬ周波数シンセサイザ部３はＶＣＣ´が給電された状態で待ち受けチャンネル用の所定の周波数設定データが設定されると、該周波数設定データに基づき待ち受けチャンネル用の受信周波数より所定の一定周波数（第１中間周波数）だけ高い所定周波数の第１局部発振信号Ｌ１と、該第１局部発振信号Ｌ１の周波数より所定の一定周波数（第２中間周波数）だけ高い所定周波数の第２局部発振信号Ｌ２を発生して受信部２へ出力し、受信部２を所定の待ち受け用チャンネルの受信周波数に同調させる。そして、信号処理部５から制御データが入力されれば解読して自機宛の着呼があるか判別し、自機宛の着呼があれば、受信系とＰＬＬ周波数シンセサイザ部３の稼働を継続させるとともにリンガ９を駆動して呼び出し音を発生させる。この状態でユーザが操作部１０でオフフック操作をすれば、コントロール部１５は図示しない送信系を介してオフフック信号を局側に送信させるとともに、制御データで指示された所定の通話チャンネル用の周波数設定データをＰＬＬ周波数シンセサイザ部３に設定し直し、所定の通話チャンネル用の第１、第２局部発振信号Ｌ１、Ｌ２を発生させ、受信系を所定の通話チャンネルに同調させる。信号処理部５から相手のディジタル音声信号が出力されると、Ｄ／Ａ変換部６でアナログ音声信号に変換され、増幅部７で電力増幅後、受話スピーカ８から音響出力される。
【０００６】
待ち受け受信では周期的に受信系が一定時間Ｔだけ所定の待ち受けチャンネルでの受信状態となるが、ＰＬＬ周波数シンセサイザ部３は周波数設定データが設定されたあとでないと正しい周波数の第１、第２局部発振信号Ｌ１、Ｌ２を出力しない。このため、図５に示す如く、コントロール部１５は受信系に対するＶＣＣの給電開始に先行して、ＰＬＬ周波数シンセサイザ部３にＶＣＣ´の給電を開始させるとともに待ち受けチャンネル用の周波数設定データの設定を行っておく必要が有り、受信系に比してＰＬＬ周波数シンセサイザ部３への給電期間が長くなることから、消費電力が多くなる欠点がある。
【０００７】
このため、従来はＰＬＬ周波数シンセサイザ部３をスタンバイモードとノーマルモードの切り換えが可能なタイプに代え、待ち受け受信では、受信系２の休止期間中も稼働期間中も電源部１４からＶＣＣ´の給電を継続するようにし、待ち受け受信モードへの移行する最初だけ待ち受けチャンネル用の周波数設定データをＰＬＬ周波数シンセサイザ部３の内蔵レジスタ（図示せず）に設定させておく。そして、図６に示す如く、受信系の休止中はＰＬＬ周波数シンセサイザ部３を低消費電流のスタンバイモードに切り換えておき、内蔵レジスタに設定された周波数設定データの保持だけ行わせて第１、第２局部発振信号Ｌ１、Ｌ２の発生は停止させ、受信系へのＶＣＣの給電開始とほぼ同時にＰＬＬ周波数シンセサイザ部３をノーマルモードに切り換え、ＰＬＬ動作により周波数設定データに応じた周波数の第１、第２局部発振信号Ｌ１、Ｌ２を発生させて出力させるようにしている。
【０００８】
【発明が解決しようとする課題】
しかしながら、図６の如く、受信系の休止期間中にＰＬＬ周波数シンセサイザ部３に給電すると、バイポーラトランジスタ型の電源部３の内部消費電流が１００μＡ程度も生じてしまい、待ち受け中の消費電力がそれ程低減しないという問題があった。
本発明は上記した従来技術の問題に鑑み、待ち受け中の消費電力を低減可能なＰＬＬ周波数シンセサイザ式無線装置の給電方法、ＰＬＬ周波数シンセサイザ式無線装置を提供することを、その目的とする。
【０００９】
【課題を解決するための手段】
請求項１記載の発明では、ＰＬＬ周波数シンセサイザ手段から入力する局部発振信号に基づき、所定の周波数の電波を受信する受信手段と、待ち受け中、受信手段の稼働を制御し、休止と稼働を交互に繰り返させ、受信手段の稼働中に受信手段で自機宛の電波が受信されれば、連続的に稼働させる制御手段とを備え、該制御手段は、受信手段の休止中はＰＬＬ周波数シンセサイザ手段をスタンバイモードとし、周波数設定データの保持をさせて局部発振信号の発生は停止させ、受信手段の稼働中はＰＬＬ周波数シンセサイザ手段をノーマルモードとし、ＰＬＬ動作により周波数設定データに応じた周波数の局部発振信号を発生させて出力させるようにしたＰＬＬ周波数シンセサイザ式無線装置の給電方法において、所定のバッテリからバイポーラトランジスタ型の第１電源手段により第１の所定の直流安定化電源電圧を作成するとともに、所定のバッテリからＣ−ＭＯＳトランジスタ型の第２電源手段により第２の所定の直流安定化電源電圧を作成するようにし、受信手段を稼働させている間、第１電源手段で作成した第１の所定の直流安定化電源電圧をＰＬＬ周波数シンセサイザに供給し、受信手段を休止させている間、第２電源手段で作成した第２の所定の直流安定化電源電圧をＰＬＬ周波数シンセサイザに供給するようにしたこと、を特徴としている。
請求項２記載の発明では、ＰＬＬ周波数シンセサイザ式無線装置では、ＰＬＬ周波数シンセサイザ手段から入力する局部発振信号に基づき、所定の周波数の電波を受信する受信手段と、待ち受け中、受信手段の稼働を制御し、休止と稼働を交互に繰り返させる制御手段とを備え、該制御手段は、受信手段の休止中はＰＬＬ周波数シンセサイザ手段をスタンバイモードとし、周波数設定データの保持をさせて局部発振信号の発生は停止させ、受信手段の稼働中はＰＬＬ周波数シンセサイザ手段をノーマルモードとし、ＰＬＬ動作により周波数設定データに応じた周波数の局部発振信号を発生させて出力させるようにしたＰＬＬ周波数シンセサイザ式無線装置において、所定のバッテリから第１の所定の直流安定化電源電圧を作成するバイポーラトランジスタ型の第１電源手段と、所定のバッテリから第２の所定の直流安定化電源電圧を作成するＣ−ＭＯＳトランジスタ型の第２電源手段と、を備え、制御手段は、受信手段を稼働させている間、第１電源手段で作成した第１の所定の直流安定化電源電圧をＰＬＬ周波数シンセサイザに供給し、受信手段を休止させている間、第２電源手段で作成した第２の所定の直流安定化電源電圧をＰＬＬ周波数シンセサイザに供給するようにしたこと、を特徴としている。
請求項１、２によれば、受信手段の稼働中はバイポーラトランジスタ型の第１電源手段から給電されるので電源ノイズの影響が少なく、ノーマルモードのＰＬＬ周波数シンセサイザは正しいＰＬＬ動作を行うことができる。反対に受信手段の休止中はＣ−ＭＯＳトランジスタ型の第２電源手段から給電されるので、スタンバイモードのＰＬＬ周波数シンセサイザという電源負荷に基づく第２電源手段での内部消費電流が小さくなり、バッテリの消耗を抑えることができる。
【００１０】
【発明の実施の形態】
次に、本発明の一つの実施の形態を図１を参照して説明する。
図１は本発明に係る携帯電話の一部の構成を示すブロック図であり、図４と同一の構成部分には同一の符号が付してある。
３ＡはＰＬＬ周波数シンセサイザ部であり、後述するコントロール部により内蔵レジスタ（図示せず）に設定される周波数設定データに応じた周波数の第１局部発振信号Ｌ１と、該第１局部発振信号Ｌ１の周波数より所定の一定周波数だけ高い第２局部発振信号Ｌ２を発生して出力する。ＰＬＬ周波数シンセサイザ部３Ａはスタンバイモードとノーマルモードの切り換えが可能であり、低消費電流のスタンバイモードに切り換えられると、内蔵レジスタに設定された周波数設定データの保持だけ行い、第１、第２局部発振信号Ｌ１、Ｌ２は発生させない。反対に、ノーマルモードに切り換えられると、ＰＬＬ動作により、各々周波数設定データに応じた周波数の第１、第２局部発振信号Ｌ１、Ｌ２を発生させて出力する。
【００１１】
１４はバッテリ１１の直流電圧を入力し、所定の電圧の直流安定化電圧ＶＣＣ´を作成するバイポーラトランジスタ型の電源部であり、コントロール部の制御に応じて稼働したり、稼働を停止したりする。バイポーラトランジスタ型の電源部１４は内部消費電流が多いもののノイズ抑圧特性が優れている。ＰＬＬ周波数シンセサイザ部３Ａの−電源端子（−ＶＩＮ）はアースと接続されており、＋電源端子（＋ＶＩＮ）には電源部１４の出力側が直接接続されている。また、ＰＬＬ周波数シンセサイザ部３Ａの＋電源端子（＋ＶＩＮ）にはＣ−ＭＯＳトランジスタ型の電源部１２が逆阻止ダイオードＤ（Ｃ−ＭＯＳトランジスタ型の電源部１２は出力端子に外部から電圧が印加されると損壊する恐れが有るので、外部からの電圧印加を阻止する）を介して接続されている。ＰＬＬ周波数シンセサイザ部３ＡのＰＬＬ動作は電源ノイズの影響を受けやすいので、コントロール部はＰＬＬ周波数シンセサイザ部３Ａをノーマルモードに切り換えるとき電源部１４を制御して稼働させ、電源部１４からＰＬＬ周波数シンセサイザ部３Ａに電源ノイズの少ないＶＣＣ´を給電させる。また、コントロール部はＰＬＬ周波数シンセサイザ部３Ａをスタンバイモードに切り換えるとき電源部１４を制御して停止させる。このときＰＬＬ周波数シンセサイザ部３Ａには、逆阻止ダイオードＤを介して内部消費電流の少ない電源部１２からＰＬＬ周波数シンセサイザ部３ＡにＶＣＣが給電されるので、周波数設定データの保持を行える。但し、電源部１２の出力するＶＣＣと電源部１４の出力するＶＣＣ´の間には、ＶＣＣ´＞ＶＣＣの関係が成立するように設定されている。
【００１２】
１５Ａは全体的な制御を行うマイコン構成のコントロール部であり、このコントロール部１５Ａと操作部１０は電源部１２から、常時、ＶＣＣの給電を受ける。コントロール部１５Ａは待ち受け受信モードに移行する際、待ち受けチャンネル用の周波数設定データをＰＬＬ周波数シンセサイザ部３Ａに設定する。そして、待ち受け受信中、コントロール部１５Ａは受信部２、復調部４、信号処理部５、Ｄ／Ａ変換部６、増幅部７とから成る受信系とＰＬＬ周波数シンセサイザ部３Ａを間歇的に稼働させる。ここで受信系及びＰＬＬ周波数シンセサイザ部３の休止は、電源開閉部１３を開制御してＶＣＣの出力を停止させること、及び、ＰＬＬ周波数シンセサイザ部３Ａを制御してスタンバイモードに切り換え、電源部１４を制御して該電源部１４の稼働を停止させＶＣＣ´の出力を停止させることで行う。ＰＬＬ周波数シンセサイザ部３Ａは低消費電流のノーマルモードからスタンバイモードに切り換えられると、内蔵レジスタに設定された周波数設定データの保持だけ行い、第１、第２局部発振信号Ｌ１、Ｌ２は発生させない。反対に受信系及びＰＬＬ周波数シンセサイザ部３Ａの稼働は、電源開閉部１３を閉制御してＶＣＣを出力させること、及びＰＬＬ周波数シンセサイザ部３Ａを制御してノーマルモードに切り換え、電源部１４を制御し該電源部１４を稼働させてＶＣＣ´を出力させることで行う。ＰＬＬ周波数シンセサイザ部３Ａはスタンバイモードからノーマルモードに切り換えられると、内蔵レジスタに保持された周波数設定データに基づきＰＬＬ動作をし、待ち受けチャンネル用の受信周波数より所定の一定周波数（第１中間周波数）だけ高い所定周波数の第１局部発振信号Ｌ１と、該第１局部発振信号Ｌ１の周波数より所定の一定周波数（第２中間周波数）だけ高い所定周波数の第２局部発振信号Ｌ２を発生して受信部２へ出力し、受信部２を所定の待ち受け用チャンネルの受信周波数に同調させる。この状態でコントロール部１５Ａは、信号処理部５から制御データが入力されれば解読して自機宛の着呼があるか判別し、自機宛の着呼があれば、受信系とＰＬＬ周波数シンセサイザ部３Ａの稼働を継続させるとともにリンガ９を駆動して呼び出し音を発生させる。ユーザが操作部１０でオフフック操作をすれば、コントロール部１５Ａは図示しない送信系を介してオフフック信号を局側に送信させるとともに、制御データで指示された所定の通話チャンネル用の周波数設定データをＰＬＬ周波数シンセサイザ部３Ａに設定し直し、所定の通話チャンネル用の第１、第２局部発振信号Ｌ１、Ｌ２を発生させ、受信系を所定の通話チャンネルに同調させる。信号処理部５から相手のディジタル音声信号が出力されると、Ｄ／Ａ変換部６でアナログ音声信号に変換され、増幅部７で電力増幅後、受話スピーカ８から音響出力される。
図１のその他の構成部分は図４と全く同様に構成されている。
【００１３】
図２はコントロール部１５Ａによる待ち受け受信制御処理を示すフローチャート、図３は待ち受け受信動作の説明図であり、以下、これらの図を参照してこの実施の形態の動作を説明する。
コントロール部１５Ａは待ち受け受信モードに移行する際、まず、電源部１４を制御して稼働させてＶＣＣ´を出力させ、ＰＬＬ周波数シンセサイザ部３Ａをノーマルモードとし、該ＰＬＬ周波数シンセサイザ部３Ａに対し待ち受けチャンネル用の周波数設定データを出力して内蔵レジスタ（図示せず）に設定させることで、待ち受け用の初期設定処理を行う（図２のステップＳ１０、Ｓ１１）。次に、ＰＬＬ周波数シンセサイザ部３Ａをスタンバイモードとし、電源部１４を制御して稼働を停止させてＶＣＣ´の出力を停止させ、電源開閉部１３を開制御してＶＣＣの出力を停止させ、受信系及びＰＬＬ周波数シンセサイザ部３Ａを休止させる（ステップＳ１２）。そして、一定の休止期間Ｔ１  だけ経過するのを待つ（ステップＳ１３。図３参照）。休止期間中、ＰＬＬ周波数シンセサイザ部３Ａは低消費電流のスタンバイモード下で内蔵レジスタの周波数設定データの保持だけ行い、ＰＬＬ動作は停止して第１、第２局部発振信号Ｌ１、Ｌ２の発生は停止する。ＰＬＬ周波数シンセサイザ部３Ａには逆阻止ダイオードＤを介して電源部１２からＶＣＣが給電されるが、電源部１２はＣ−ＭＯＳトランジスタ型なので内部消費電流は小さく抑えられ、バッテリ１１の消耗は小さい。
【００１４】
ステップＳ１３のＴ１  の待ちが終わると、コントロール部１５Ａは電源部１４を制御して稼働させてＶＣＣ´を出力させ、ＰＬＬ周波数シンセサイザ部３Ａをノーマルモードとし、電源開閉部１３を閉制御してＶＣＣを出力させ、受信系及びＰＬＬ周波数シンセサイザ部３Ａの稼働を開始させる（ステップＳ１４）。ノーマルモードとなったＰＬＬ周波数シンセサイザ部３Ａは、内蔵レジスタに保持された周波数設定データに基づきＰＬＬ動作をし、待ち受けチャンネル用の第１、第２局部発振信号Ｌ１、Ｌ２を発生させ、受信部２を待ち受けチャンネルに同調させる。ＰＬＬ周波数シンセサイザ部３Ａには電源ノイズの小さい電源部１４から給電されるので、ＰＬＬ動作が誤作動することはない。
【００１５】
コントロール部１５Ａは受信系とＰＬＬ周波数シンセサイザ部３Ａの稼働開始後、信号処理部５から制御データの入力が有るかチェックし（ステップＳ１５）、なければ、今回の稼働開始から一定の稼働期間Ｔ２  だけ経過したかチェックし（ステップＳ１６。図３参照）、まだであればステップＳ１５に戻る。ステップＳ１５でＹＥＳとなったときは、解読して自機宛の着呼か判別し（ステップＳ１７）、ＹＥＳであれば、リンガ９を駆動して呼び出し音を発生させる（ステップＳ１８）。そして、操作部１０でオフフック操作がされたかチェックし（ステップＳ１９）、されればリンガ９の駆動を停止して呼び出し音を止め（ステップＳ２０）、図示しない送信系によりオフフック信号を局側へ送信させるとともに、制御データの示す通話チャンネルに受信周波数を切り換えさせて通話モードに移行する。
【００１６】
若し、ステップＳ１７でＮＯであったときは、ステップＳ１６に進み、今回の稼働開始から一定の稼働期間Ｔ２  だけ経過したかチェックし、まだであればステップＳ１５に戻る。その後、ステップＳ１６でＹＥＳとなったとき、ステップＳ１２に戻り、ＰＬＬ周波数シンセサイザ部３Ａをスタンバイモードとし、電源部１４を制御して稼働を停止させてＶＣＣ´の出力を停止させ、電源開閉部１３を開制御してＶＣＣの出力を停止させ、受信系及びＰＬＬ周波数シンセサイザ部３Ａを休止させる。そして、一定の休止期間Ｔ１  だけ経過したら（ステップＳ１３でＹＥＳ。図３参照）、再び、電源部１４を制御して稼働させてＶＣＣ´を出力させ、ＰＬＬ周波数シンセサイザ部３Ａをノーマルモードとし、電源開閉部１３を閉制御してＶＣＣを出力させて受信系及びＰＬＬ周波数シンセサイザ部３Ａの稼働を開始させ、以下、同様の処理を繰り返すことで、待ち受け受信制御を行う。
【００１７】
この実施の形態によれば、受信系の稼働中は、コントロール部１５Ａが電源部１４を稼働させ、ノーマルモードとしたＰＬＬ周波数シンセサイザ部３Ａにバイポーラトランジスタ型の電源部１４からＶＣＣ´を給電させるので電源ノイズの影響が少なく、ＰＬＬ周波数シンセサイザ部３Ａは誤動作なくＰＬＬ動作を行い、正しい周波数の第１、第２局部発振信号Ｌ１、Ｌ２を出力して受信部２を待ち受け用の正しい周波数に同調させることができる。反対に受信系の休止中は、コントロール部１５Ａが電源部１４を停止させ、ＰＬＬ周波数シンセサイザ部３ＡにＣ−ＭＯＳトランジスタ型の電源部１２からＶＣＣを給電させるので、スタンバイモードのＰＬＬ周波数シンセサイザ部３Ａの負荷に基づく電源部１２での内部消費電流が小さくなり、バッテリ１１の消耗を抑えることができる。
しかも、休止中（スタンバイモード中）のＰＬＬ周波数シンセサイザ部３Ａへの給電は、コントロール部１５Ａなどへの給電用に設けられたＣ−ＭＯＳトランジスタ型の電源部１２から行えるので、Ｃ−ＭＯＳトランジスタ型の電源部を別途装備する必要がなく、構成上の負担が少ない。
【００１８】
なお、上記した実施の形態では携帯電話を例に挙げて説明したが、本発明は何らこれに限定されず、ＰＨＳ、情報携帯端末、トランシーバ等、種々のＰＬＬ周波数シンセサイザ式の無線装置に適用することができる。
【００１９】
【発明の効果】
本発明によれば、受信手段の稼働中はバイポーラトランジスタ型の第１電源手段から給電されるので電源ノイズの影響が少なく、ノーマルモードのＰＬＬ周波数シンセサイザは正しいＰＬＬ動作を行うことができる。反対に受信手段の休止中はＣ−ＭＯＳトランジスタ型の第２電源手段から給電されるので、スタンバイモードのＰＬＬ周波数シンセサイザという電源負荷に基づく第２電源手段での内部消費電流が小さくなり、バッテリの消耗を抑えることができる。
【図面の簡単な説明】
【図１】本発明の一つの実施の形態に係る携帯電話の一部の構成を示すブロック図である。
【図２】図１中のコントロール部の待ち受け受信制御処理を示すフローチャートである。
【図３】図１の携帯電話における待ち受け受信動作の説明図である。
【図４】従来の携帯電話の一部の構成を示すブロック図である。
【図５】図４の携帯電話における待ち受け受信動作の説明図である。
【図６】従来の他の携帯電話における待ち受け受信動作の説明図である。
【符号の説明】
１  アンテナ                      ２  受信部
３Ａ  ＰＬＬ周波数シンセサイザ部  ４  復調部
５  信号処理部                    ６  Ｄ／Ａ変換部
７  増幅部                        ８  受話スピーカ
１０  操作部                      １１  バッテリ
１２、１４  電源部                １３  電源開閉部
１５Ａ  コントロール部
Ｄ  逆阻止ダイオード
【図１】
0003618644.tif 000002
【図２】
0003618644.tif 000003
【図３】
0003618644.tif 000004
【図４】
0003618644.tif 000005
【図５】
0003618644.tif 000006
【図６】
0003618644.tif 000007